(57)【特許請求の範囲】
【請求項１】
橋の主桁の張出架設工法に用いられる片持架設用移動作業車であり、主桁の上を走行装置により略橋軸方向に走行可能な主フレームと、この主フレームの上部に設けられる略橋軸直角方向に沿う上梁と、この上梁の下方に吊り材を介して設けられる略橋軸直角方向に沿う下梁を有する片持架設用移動作業車において、
前記上梁および下梁がそれぞれ、互いに分離して製作された、主ビームと、拡張ビームと、ビーム補強トラスとから構成され、主ビームと拡張ビームを組み合わせ、あるいは主ビームと主ビームを組み合わせ、かつ、主ビームと拡張ビームあるいは主ビームにビーム補強トラスを取り付けることにより、種々の長さの上梁および下梁を組み立てるように構成されていることを特徴とする片持架設用移動作業車の上下梁システム。
【請求項２】
請求項１に記載の上下梁システムにおいて、ビーム補強トラスは、主ビームと拡張ビームに跨って取り付けられ、あるいは主ビームのみに取り付けられる主トラスであることを特徴とする片持架設用移動作業車の上下梁システム。
【請求項３】
請求項１に記載の上下梁システムにおいて、ビーム補強トラスは、主ビームと拡張ビームに跨って取り付けられ、あるいは主ビームのみに取り付けられる主トラスと、主トラスと拡張ビームとを連結する拡張ブレースとから構成されていることを特徴とする片持架設用移動作業車の上下梁システム。
【請求項４】
請求項１から請求項３までのいずれか一つに記載の上下梁システムにおいて、主ビームおよび拡張ビームにボルト孔が長手方向に間隔をおいて多数設けられていることを特徴とする片持架設片持架設用移動作業車の上下梁システム。
【発明の詳細な説明】
【技術分野】
【０００１】
本発明は、橋の主桁の張出架設工法に用いられる片持架設用移動作業車の上下梁システムに関するものである。
【背景技術】
【０００２】
張出架設工法は、作業足場および型枠を前方で吊下げ支持する片持架設用移動作業車を用い、主桁の先端に１ブロック分のコンクリートを打設し、次いで移動作業車を１ブロック分だけ移動させ、これを順次繰り返すことにより主桁を架設する工法である。
【０００３】
図５は、この片持架設用移動作業車１の一例を示したものであり、橋脚の柱頭部Ａおよび主桁Ｂの上面をレール５と走行装置６により略橋軸方向に走行可能なトラス構造の主フレーム２と、この主フレーム２の上部に設けられる略橋軸直角方向に沿う上梁３と、この上梁３の下方に吊り材７を介して設けられる略橋軸直角方向に沿う下梁４を有している。
【０００４】
主フレーム２は主桁Ｂのウェブの上に位置するように複数配置され、各主フレーム２の前方に張り出す上部を連結するように上梁３が架け渡され、またこの上梁３は橋軸方向に間隔をおいて一対で配置される。各上梁３の両端部には吊り材７の上部が取り付けられ、この吊り材７の下部には下梁４の両端部がそれぞれ取り付けられる。各下梁４の上には受梁８を介して作業足場９の下部踊場９ａが設置される。その上には型枠受横梁１０が配置され、その両端部が吊り材７に昇降自在に支持される。型枠受横梁１０は、その上に型枠受梁１１が設置され、型枠ジャッキ１２により昇降し、型枠のセットと脱型がなされる。
【０００５】
このような片持架設用移動作業車において、上梁３および下梁４は幅員Ｗ以上の長さＬが必要であり（図５（ａ）参照）、従来においては、各橋梁工事の幅員Ｗに対応する上梁３および下梁４をその都度新規製作するか、従来の上梁３および下梁４を改造して使用していた。
【０００６】
なお、本発明に関連する張出架設工法における片持架設用移動作業車に関しては、例えば特許文献１〜３がある。特許文献１は、大幅員の橋体の施工に用いられる改善された架設作業車であり、橋体の下方に位置する作業車の主構造物である下部構造物を橋幅方向に３分割し、中央部分を橋体の上面から直接吊り下げ、両横部分はハンガーアームを介して橋体の上面より保持する構造である。引用文献２は、ストラット付きＰＣ箱桁橋等において主桁中央部の両側部に張出し床版を場所打ち架設する移動作業車に関するものである。引用文献３は、波形鋼板ウェブ橋の施工において波形鋼板を吊持する移動作業車に関するものである。いずれも種々の幅員Ｗに対して上梁および下梁の長さを対応させる技術については記載されていない。
【０００７】
【特許文献１】特開２００３−７４０１５号公報
【特許文献２】特開２００５−１８８２０３号公報
【特許文献３】特開２００８−８８７８２号公報
【発明の開示】
【発明が解決しようとする課題】
【０００８】
前述のような従来の各橋梁工事の様々な幅員に対応する上梁および下梁をその都度新規製作し、あるいは従来の上梁および下梁を改造する方法の場合、次のような課題があった。
【０００９】
（1）片持架設用移動作業車の計画および設計時に、最初から計画および設計をしなければならないため、多大な労力（人件費）が掛り、コスト高となる。
【００１０】
（2）各工事で、新規製作または従来の上下梁を改造するため、設計・制作費または改造費等の費用が発生するため、コスト高となる。
【００１１】
（3）新規製作または従来の上下梁を改造するため、製作または改造工程が発生し、各工事への納期が遅くなる。
【００１２】
本発明は、上記の従来技術の課題を解決すべくなされたもので、橋の主桁の張出架設工法に用いられる片持架設用移動作業車において、各橋梁工事の様々な幅員に対応する上梁および下梁を、従来の新規製作や改造を行うことなく、簡易に迅速に設置することができ、コストの低減を図れる片持架設用移動作業車の上下梁システムを提供することにある。
【課題を解決するための手段】
【００１３】
本発明の請求項１は、橋の主桁の張出架設工法に用いられる片持架設用移動作業車であり、主桁の上を走行装置により略橋軸方向に走行可能な主フレームと、この主フレームの上部に設けられる略橋軸直角方向に沿う上梁と、この上梁の下方に吊り材を介して設けられる略橋軸直角方向に沿う下梁を有する片持架設用移動作業車において（図２、３参照）、
前記上梁および下梁がそれぞれ、互いに分離して製作された、主ビームと、拡張ビームと、ビーム補強トラスとから構成され、主ビームと拡張ビームを組み合わせ、あるいは主ビームと主ビームを組み合わせ、かつ、主ビームと拡張ビームあるいは主ビームにビーム補強トラスを取り付けることにより、種々の長さの上梁および下梁を組み立てるように構成されていることを特徴とする片持架設用移動作業車の上下梁システムである（図１参照）。
【００１４】
本発明は、主ビーム、拡張ビーム、ビーム補強トラスをそれぞれ１種類あるいは数種類予め製作して用意しておき、これらを適宜組み合わせて種々の長さの上梁および下梁を得るものである。ビーム補強トラスは、弦材と垂直材と斜材からなる主トラス、あるいは、主トラスと、主トラス端部と拡張ブレースとを連結する拡張ブレースとから構成される拡張トラスを用いることができる。（図１、図４参照）
【００１５】
本発明の請求項２は、請求項１に記載の上下梁システムにおいて、ビーム補強トラスは、主ビームと拡張ビームに跨って取り付けられ、あるいは主ビームのみに取り付けられる主トラスであることを特徴とする片持架設用移動作業車の上下梁システムである。
【００１６】
ビーム補強トラスに主トラスのみを用いる場合であり、例えば、主ビームと片側または両側の拡張ビームに跨って主トラスを取り付ける場合（図４(ａ)参照）、同一長さあるいは数種類の長さの複数本の主ビームにそれぞれ主トラスを取り付ける場合（図４（ｅ）参照）などがある。
【００１７】
本発明の請求項３は、請求項１に記載の上下梁システムにおいて、ビーム補強トラスは、主ビームと拡張ビームに跨って取り付けられ、あるいは主ビームのみに取り付けられる主トラスと、主トラスと拡張ビームとを連結する拡張ブレースとから構成されていることを特徴とする片持架設用移動作業車の上下梁システムである。
【００１８】
ビーム補強トラスに、主トラスと拡張ブレースを用いる場合であり、例えば、主ビームと片側または両側の拡張ビームに跨って主トラスを取り付け、片側または両側の拡張ビームに拡張ブレースを取り付ける場合（図４(ｃ)参照）、主ビームにのみに主トラスを取り付け、片側または両側の拡張ビームに拡張ブレースを取り付ける場合（図４（ｂ）、（ｃ）参照）などがある。
【００１９】
本発明の請求項４は、請求項１から請求項３までのいずれか一つに記載の上下梁システムにおいて、主ビームおよび拡張ビームにボルト孔が長手方向に間隔をおいて多数設けられていることを特徴とする片持架設片持架設用移動作業車の上下梁システムである。
【００２０】
図１に例示するように、主ビームおよび拡張ビームの上下フランジに、ボルト孔を全長にわたって所定のピッチで多数穿設する場合である。様々な幅員に対応させて組み合わせを変更しても、各部材を容易に組み替えることができる。例えば、主トラスを主ビームおよび拡張ビームの任意の位置に取り付けることができる。また、拡張ブレースの先端を拡張ビームの任意位置に接続することができる。また、主フレームの上部を主ビームの任意の位置に取り付けることができる。さらに、これらボルト孔は、型枠受横梁の吊り材の固定金物などの取り付け、下部踊場受梁の固定などに利用することができる。
【００２１】
なお、主ビームの端部と拡張ビームの端部は、突き合わせて、継手板を介してボルト接合する。主トラスは、その垂直材の下端部に取付けた載置板を主ビームあるいは拡張ビームの上面にボルト接合する。拡張ブレースは、その一端を主トラスの端部における格点接合金物にボルト接合し、他端を接合金物により拡張ブレースの上面にボルト接合する。
【発明の効果】
【００２２】
本発明は、主ビーム、拡張ビーム、ビーム補強トラスをそれぞれ予め製作して用意しておき、これらを適宜組み合わせて種々の長さの上梁および下梁を得るようにしているため、次のような効果が得られる。
【００２３】
（1）片持架設用移動作業車の計画および設計業務を簡略化できるため、労力（人件費）の低減によるコストの低減を図ることができる。
（2）新規製作や改造が不要となり、設計・制作費または改造費等が発生しないため、さらなるコストの低減を図ることができる。
（3）新規製作や改造が不要となるため、各現場への納期を早くすることができる。
【発明を実施するための最良の形態】
【００２４】
以下、本発明を図示する実施形態に基づいて説明する。図１は本発明の片持架設用移動作業車の上下梁システムの一例を示す分解斜視図である。図２、図３は本発明の上下梁システムが装備された片持架設用移動作業車の一例を示す側面図、正面図である。図４は本発明の上下梁システムの組み合わせ例を示す側面図である。
【００２５】
図２、図３に例示する片持架設用移動作業車１は、橋脚の柱頭部Ａおよび主桁Ｂの上面をレール５と走行装置６により略橋軸方向に走行可能なトラス構造の主フレーム２と、この主フレーム２の上部に設けられる略橋軸直角方向に沿う上梁３と、この上梁３の下方に設けられる略橋軸直角方向に沿う下梁４を有している。主桁Ａのウェブの上に配置された各主フレーム２の前方に張り出す上部に掛け渡される上梁３は橋軸方向の先端と中間と後端に配置され、下梁４も同様に３本の上梁３の下方に配置されるが、吊り材７で連結される中間と後端の上梁３および下梁４に本発明の上下梁システムを適用する。
【００２６】
本発明の上下梁システムは、図１に示すように、上梁３および下梁４をそれぞれ、主ビーム２０と、拡張ビーム２１と、主トラス２２と、拡張ブレース２３とに分割し、各部材をそれぞれ一種類あるいは数種類予め製作し用意しておき、これらの部材を様々な幅員に応じて適宜選択して組み合わせ、様々な長さの上梁３および下梁４を組み立てる。
【００２７】
主ビーム２０および拡張ビーム２１は、例えば２枚の並行配置のＨ形鋼を鋼板等で連結して構成される。２枚のＨ形鋼の間に吊り材７を挿通させることができる。主ビーム２０の端部と拡張ビーム２１の端部は、突き合わせて、継手板３０を介してボルト接合する。
【００２８】
主トラス２２および拡張ブレース２３は、作業足場９や下梁４を吊下げ支持する上梁３あるいは作業足場９を支持する下梁４を補強するビーム補強トラスを構成する。主トラス２２は、弦材２２ａと、垂直材２２ｂと、斜材２２ｃとから構成される。各垂直材２２ｂの下端部に取付けた載置板２２ｄを主ビーム２０あるいは拡張ビーム２１の上面にボルト接合する。なお、下梁４においては、主ビーム２０あるいは拡張ビーム２１の下に主トラス２２および拡張ブレース２３が取り付けられる（図３参照）。
【００２９】
拡張ブレース２３は、主トラス２２に対して拡張トラスを構成するものであり、例えば並行配置の２枚のＨ形鋼から構成する。拡張ブレース２３の一端は主トラス２２の両端における格点接合金物２２ｅにボルト接合し、他端を接合金物３１により拡張ブレース２３の上面にボルト接合する。
【００３０】
以上のような構成により、上下梁システムは、長手方向に関して、基本部分の「コアユニット」即ち主ビーム２０および主トラス２２と、幅員変化に対応するための「拡張ユニット」即ち拡張ビーム２１および拡張ブレース２３とに分割される。また、これらユニットは、上下方向には「ビームセクション」即ち主ビーム２０および拡張ビーム２１と、「トラスセクション」即ち主トラス２２および拡張ブレース２３とに分割されることになる。
【００３１】
また、主ビーム２０および拡張ビーム２１の上下フランジには、ボルト孔４０が全長にわたって所定のピッチで多数穿設されており、様々な幅員に対応させて組み合わせを変更しても、容易に組み替えられるようにしている。例えば、主トラス２２を主ビーム２０および拡張ビーム２１の任意の位置に取り付けることができる。また、拡張ブレース２３の先端を拡張ビーム２１の任意位置に接続することができる。また、主フレーム２の上部を主ビーム２０の任意の位置に取り付けることができる。
【００３２】
さらに、これらボルト孔４０は、型枠受横梁１０の吊り材の固定金物などの取り付け、下部踊場受梁８の固定などに利用することができる。
【００３３】
図４に例示するように、以上のような構成の上下梁システムの各部材を適宜組み合わせて様々な長さに拡幅された上梁３および下梁４を得る。なお、この図示例は、主ビーム２０および主トラス２２に同じ長さのものを用いる場合であるが、これに限らず、主ビーム２０や主トラス２２に数種類の長さのものを用意して使用することもできる。
【００３４】
図４（ａ）は、主ビーム２０の片側に拡張ビーム２１を継ぎ足し、これら主ビーム２０・拡張ビーム２１の中央位置と主トラス２２の中央位置を一致させ、主ビーム２０と拡張ビーム２１に跨って主トラス２２を取り付ける例である。この図示例に限らず、例えば、主ビーム２０の両側に拡張ビーム２１を配置し、主ビーム２０より長い主トラス２２を主ビーム２０と両側の拡張ビーム２１に跨って取り付けることもできる。
【００３５】
図４（ｂ）は、主ビーム２０の両側にそれぞれ同じ長さの拡張ビーム２１を継ぎ足し、主ビーム２０に主トラス２２を取り付け、主トラス２２の両端と拡張ビーム２１、２１をそれぞれ拡張ブレース２３で連結する例である。この図示例に限らず、例えば、主ビーム２０の片側にのみ拡張ビーム２１と拡張ブレース２３を取り付けることもできる。
【００３６】
図４（ｃ）は、図４（ｂ）の例において、主ビーム２０の両側に長さの異なる拡張ビーム２１、２１を継ぎ足し、主ビーム２０と片側の拡張ビーム２１に跨って主トラス２２を取り付け、長い拡張ブレース２３を用いる例である。この図示例に限らず、例えば、主ビーム２０の片側にのみ拡張ビーム２１を継ぎ足し、これらに跨って主トラス２２を取り付け、拡張ブレース２３を取り付けることもできる。また、主ビーム２０より長い主トラス２２を主ビーム２０と両側の拡張ビーム２１に跨って取り付け、両側に拡張ブレース２３を取り付けることもできる。
【００３７】
図４（ｄ）は、図４（ｂ）の例において、長い拡張ビーム２１と拡張ブレース２３を用いる例である。
【００３８】
図４（ｅ）は、同じ長さの主ビーム２０と主ビーム２０をつなぎ、各ビーム２０にそれぞれ主トラス２２を取り付け、主トラス２２同士を連結部材で一体化する例である。この図示例に限らず、例えば、異なる長さの主ビーム２０をつなぎ、それぞれに長さの異なる主トラス２２を取り付けることもできる。また、主トラス２２の長さを主ビーム２０より短くし、拡張ブレース２３を取り付けることもできる。
【００３９】
なお、以上のような組み合わせに限らず、その他の様々な組み合わせが考えられる。
【図面の簡単な説明】
【００４０】
【図１】本発明の片持架設用移動作業車の上下梁システムの一例を示す分解斜視図である。
【図２】本発明の上下梁システムが装備された片持架設用移動作業車の一例を示す側面図である。
【図３】本発明の上下梁システムが装備された片持架設用移動作業車の一例を示す正面図である。
【図４】本発明の上下梁システムの組み合わせ例を示す側面図である。
【図５】従来の片持架設用移動作業車の一例であり、（ａ）は施工時の正面図、（ｂ）はセット時の側面図、（ｃ）はセット時の正面図である。
【符号の説明】
【００４１】
１……片持架設用移動作業車
２……主フレーム
３……上梁
４……下梁
５……レール
６……走行装置
７……吊り材
８……受梁
９……作業足場
９ａ…下部踊場
１０…型枠受横梁
１１…型枠受梁
１２…型枠ジャッキ
２０…主ビーム
２１…拡張ビーム
２２…主トラス
２２ａ…弦材
２２ｂ…垂直材
２２ｃ…斜材
２２ｄ…載置板
２２ｅ…格点接合金物
２３…拡張ブレース
３０…継手板
３１…接合金物
４０…ボルト孔
Ａ……柱頭部
Ｂ……主桁
Ｗ……幅員
【図１】
0004985540.tif 000002
【図２】
0004985540.tif 000003
【図３】
0004985540.tif 000004
【図４】
0004985540.tif 000005
【図５】
0004985540.tif 000006